(57)【特許請求の範囲】
【請求項１】
ディジタルテレビジョン受像機においてオーディオビジュアル伝送情報を表示する方法であって、第一のオーディオビジュアル伝送情報は、放送センタからブロードキャストされ、ディジタルテレビジョン受像機により表示され、
上記放送センタによってブロードキャストされる、第一のオーディオビジュアル伝送情報と、前記第一のオーディオビジュアル伝送情報内の一定時間継続する区間を定義する少なくとも１つのサービス情報アイテムとを受信する段階と、
前記区間の開始により定義される瞬間まで、前記第一のオーディオビジュアル伝送情報を表示する第一の表示段階と、
前記ディジタルテレビジョン受像機で記録された複数の系列により構成される第二のオーディオビジュアル伝送情報を読み出す段階と、
前記ディジタルテレビジョン受像機から読み出された前記第二のオーディオビジュアル伝送情報を表示する第二の表示段階であって、前記第二の表示段階は、前記区間の開始により定義される瞬間でトリガされ、前記系列は、前記区間が終了せず前記第二のオーディオビジュアル伝送情報の最後の系列が完全に表示され終わらないまでの間、表示され、
前記区間の終了により定義される瞬間で前記第一のオーディオビジュアル伝送情報を前記ディジタルテレビジョン受像機のメモリに記録する段階と、
前記第二のオーディオビジュアル伝送情報の最後の系列が完全に表示されたときにトリガされる、前記瞬間に記録された第一のオーディオビジュアル伝送情報を表示する第三の表示段階とを含み、前記第一のオーディオビジュアル伝送情報の表示は、所定の時間だけシフトされる、
ことを特徴とするオーディオビジュアル伝送情報を表示する方法。
【請求項２】
前記第二の表示段階の前にブロードキャストされる少なくとも１つの第二のオーディオビジュアル伝送情報を不揮発性記憶手段に記録する段階を含み、
前記第二のオーディオビジュアル伝送情報は、第二の表示段階において置き換えられるオーディオビジュアル伝送情報又はオーディオビジュアル伝送情報の部分と共通の特性を有する、
ことを特徴とする請求項１記載のオーディオビジュアル伝送情報を表示する方法。
【請求項３】
前記第二のオーディオビジュアル伝送情報の記録は、前記ディジタルテレビジョン受像機のメモリに書き込まれた基準と記録されるべきオーディオビジュアル伝送情報を特徴付けるサービス情報アイテムでブロードキャストされるデータアイテムとの間の比較結果によって条件付けされる、
ことを特徴とする請求項２記載のオーディオビジュアル伝送情報を表示する方法。
【請求項４】
記録された第二のオーディオビジュアル伝送情報はトピックによって識別され、書き込まれた基準はユーザプロファイルに対応し、前記第二のオーディオビジュアル伝送情報の記録の条件はトピックと書き込まれたデータとの間の対応関係である、
ことを特徴とする請求項３記載のオーディオビジュアル伝送情報を表示する方法。
【請求項５】
複数の特定のプロファイルからユーザプロファイルを選択する予備段階を含む、
ことを特徴とする請求項４記載のオーディオビジュアル伝送情報を表示する方法。
【請求項６】
前記第二の表示段階の実行前に、第二のオーディオビジュアル伝送情報の最少の指定された量を記録する予備段階を含む、
ことを特徴とする請求項２乃至５の何れか記載のオーディオビジュアル伝送情報を表示する方法。
【請求項７】
現在の記録が全く読み出されていない限り新たな記録は禁止され、記録が読み出されると前記不揮発性記録手段から消去される、
ことを特徴とする請求項２乃至５の何れか記載のオーディオビジュアル伝送情報を表示する方法。
【請求項８】
放送センタから伝送されるオーディオビジュアル伝送情報を受信する手段と、少なくとも１つのオーディオビジュアル伝送情報を含むメモリと、オーディオビジュアル伝送情報を表示する手段とを含むディジタルオーディオビジュアル伝送情報用のディジタルテレビジョン受像機であって、
前記受信手段は、第一のオーディオビジュアル伝送情報と、前記第一のオーディオビジュアル伝送情報内の一定時間継続する区間を定義する少なくとも１つのサービス情報アイテムとを少なくとも受信し、
前記表示手段は、前記区間の開始により定義される瞬間まで前記第一のオーディオビジュアル伝送情報を表示し、
前記表示手段は、前記メモリに記録された第二のオーディオビジュアル伝送情報を表示し、前記第二のオーディオビジュアル伝送情報は、前記メモリに記録された複数の系列により構成され、前記表示手段は、前記区間の開始により定義される瞬間にトリガされ、作動を開始し、かつ前記第二のオーディオビジュアル伝送情報の最後の系列が完全に表示され終わらないまでの間作動し、
前記メモリは、前記区間の終了により定義される瞬間で前記第一のオーディオビジュアル伝送情報を記録し、
前記表示手段は、前記第二のオーディオビジュアル伝送情報を構成する系列の表示の終了に更にトリガされ、前記瞬間に記録された第一のオーディオビジュアル伝送情報を表示し、前記第一のオーディオビジュアル伝送情報の表示は、所定の時間だけシフトされる、
ことを特徴とするディジタルオーディオビジュアル伝送情報用のディジタルテレビジョン受像機。
【請求項９】
前記メモリに少なくとも１つのブロードキャストされたオーディオビジュアル伝送情報を記録する手段が設けられ、
前記第二のオーディオビジュアル伝送情報のブロードキャストの検出に応じて、前記第二のオーディオビジュアル伝送情報を前記メモリに記録することを許可する第１の検出手段を有する、
ことを特徴とする請求項８記載のディジタルオーディオビジュアル伝送情報用のディジタルテレビジョン受像機。
【請求項１０】
当該ディジタルテレビジョン受像機に記憶される基準に従ってブロードキャストされた第二のオーディオビジュアル伝送情報を選択する手段を有し、選択されたオーディオビジュアル伝送情報のみが前記メモリに記録される、
ことを特徴とする請求項９記載のディジタルオーディオビジュアル伝送情報用のディジタルテレビジョン受像機。
【請求項１１】
当該ディジタルテレビジョン受像機のメモリは、少なくとも一のユーザによって入力されたプロファイルデータを含み、前記第二のオーディオビジュアル伝送情報は、オーディオビジュアル伝送情報についてのトピック識別データを含み、
フィルタは、前記プロファイルデータと前記オーディオビジュアル伝送情報についてのトピック識別データとを比較する比較器を含み、
前記オーディオビジュアル伝送情報についてのトピック識別データが前記プロファイルデータに対応する場合に前記第二のオーディオビジュアル伝送情報が記録される、
ことを特徴とする請求項１０記載のディジタルオーディオビジュアル伝送情報用のディジタルテレビジョン受像機。
【請求項１２】
前記第二のオーディオビジュアル伝送情報は、前記第一のオーディオビジュアル伝送情報とは異なる通信チャネルでブロードキャストされ、
当該ディジタルテレビジョン受像機は、前記第二のオーディオビジュアル伝送情報をブロードキャストする通信チャネルからオーディオビジュアル伝送情報を受信する第二の受信手段を有する、
ことを特徴とする請求項１１記載のディジタルオーディオビジュアル伝送情報用のディジタルテレビジョン受像機。
【発明の詳細な説明】
【０００１】
【発明の属する技術分野】
本発明は、中央局によって放送されるオーディオビジュアル伝送情報を表示する方法、及びオーディオビジュアル伝送情報用の受信器に係る。本発明は、更に特定的には、ディジタルテレビジョン受像機／デコーダ、又は以下単に「デコーダ」と称する装置に係る。今日、このような機器には数時間のオーディオビジュアル内容を記録することが可能なハードディスクが設けられている。
【０００２】
【従来の技術】
ネットワークは、より一般的には「イベント」と称されるオーディオビジュアル伝送情報と、これらを参照するためのデータとを放送する。サービスとは、特定のストリーム中で放送される一連のイベントである。参照データは、例えばＤＶＢ−ＳＩ仕様書（"Digital Video Broadcast − specification for Service Information"）ＥＮ３００４６８Ｖ１．３．１（ＥＴＳＩにより発行）に記載されている。参照データは、テーブルの形式をとり、放送網上で伝送されるオブジェクトを記述する記述子とされる。テーブルは、放送されるイベントに関する参照データ、例えば、タイトル、放送の時間、放送チャンネル、概略等を含む。一般的には、ＤＶＢ−ＳＩ規格によるストリームは、以下のテーブル、ＮＩＴ，ＳＤＴ，ＥＩＴ、場合によってはＢＡＴを含む。ＮＩＴテーブルは、ネットワークの一般的な構造を定義し、放送される搬送ストリーム及びサービスのリストを示す。ＳＤＴテーブルは、サービスに関する追加的な情報、例えばサービスの暗号化されていない名前を与える。ＥＩＴテーブルは、各サービスについてのイベントのリストを示す。これは特に、現在放送されているイベントを示すことを可能とする。ＢＡＴテーブルは、幾つかのサービスを、幾つかの放送ネットワークによって出力されうるサービスの束へまとめる。
【０００３】
規格では、既に指定されている情報に対して規格化されていない補足情報を追加するために放送者が特定の用途に使用しうるいわゆる所有者フィールドも指定されている。
【０００４】
【発明が解決しようとする課題】
送信器は、特に広告シーケンスを放送する。これらのシーケンスは非常に多様であり、例えば、スポーツ、自動車、メンテナンス製品、家庭用電化製品、歌などがある。広告区間は、一般的には同じトピックではない１つ以上の広告シーケンスを含む。ユーザは、通常は、幾つかのトピックに関心があるが、全てのトピックに関心があるわけではない。ユーザは自分のデコーダに多数の好みのトピックによって定義されるプロファイルを入力しうる。デコーダは、ユーザのプロファイルに対応するトピックを有するイベントが表示されることを許すフィルタを有する。しかしながら、広告シーケンスがフィルタされると、テレビジョン画面は黒くなり、ユーザにとって不愉快なものとなる。
【０００５】
本発明は、送信器によってスケジューリングされた時点において、ユーザに幾つかの特徴を有する広告シーケンスを提供することを目的とする。
【０００６】
【課題を解決するための手段】
本発明の主題は、オーディオビジュアル伝送情報を表示する手段を有するディジタルテレビジョン受像機において放送中央局から放送されたオーディオビジュアル伝送情報を表示する方法であって、
上記放送中央局によって放送されるオーディオビジュアル伝送情報及び少なくとも１つのサービス情報アイテムを受信する段階と、
受信されたオーディオビジュアル伝送情報を表示する第１の段階と、
記録されたオーディオビジュアル伝送情報を読み出す段階と、
受信された上記オーディオビジュアル伝送情報の少なくとも一部を置き換えると共に上記読み出されたオーディオビジュアル伝送情報を表示する第２の段階とを含み、上記第２の段階はサービス情報アイテムによって決められる時点においてトリガされることを特徴とする方法である。
【０００７】
このように、デコーダは放送された広告シーケンスをデコーダに記録された広告シーケンスによって置き換える。
【０００８】
第１の改善点によれば、記録された伝送情報は放送ネットワークから発せられたものである。他の改善点によれば、ネットワークから発せられた伝送情報は、デコーダ中に記憶されたデータによって定義される基準と一致する場合に記録される。他の改善点によれば、記録された伝送情報はユーザによって選択されるプロファイルに対応する。このようにして、テレビジョンはユーザの好みに応じて伝送情報を表示する。
【０００９】
１つの改善点によれば、ユーザは予め自分の好みのリストを入力する。このリストにより、デコーダは、ユーザの好みに対応する広告シーケンスであり従って記録されねばならない広告シーケンスを自動的に選択することが可能となる。受信器のメモリは、プロファイル識別子によって選択可能な幾つかの好みのリストを含みうる。他の改善点によれば、記録物の表示の終了時に、デコーダは広告でないイベントの再開を記録する。
【００１０】
他の改善点によれば、広告区間が終わったときデコーダは放送された伝送情報を直ぐには表示せず、広告区間が終わるまで記録物を表示しつづけ、一方で広告区間に続いて放送されるイベントを開始を記録する。一時記憶メモリで実行される記録物により、ユーザが第１のタイプの伝送情報の一部を見のがすことが防止される。
【００１１】
本発明の主題はまた、放送中央局から伝送される伝送情報を受信する手段と、少なくとも１つのオーディオビジュアル伝送情報を含むメモリと、伝送情報を表示する手段とを含むディジタルオーディオビジュアル伝送情報用の受信器であって、
中央局によって放送される伝送情報には、放送中央局によって伝送されるサービス情報アイテムに含まれる特性によって同定される２つの種類があること、並びに、デコーダは、受信手段によって受信される伝送情報の種類の変化を検出する第１の手段と、現在放送されている第１の種類の伝送情報又はメモリに記録された伝送情報を表示するよう伝送情報を選択する手段とを含むこと、また、選択手段は第２の種類の伝送情報を放送することによって記録された伝送情報が表示されるよう検出手段によって制御されることを特徴とする受信器である。
【００１２】
他の改善点によれば、本発明の主題は、双方向通信ネットワークへの接続の手段と通信するための回路を含むオーディオビジュアル伝送情報受信機器である。機器は、主機器から生ずる供給電圧を伝送する第１のコネクタと、周辺機器の接続を可能とする第２のコネクタと、第１のコネクタ上の供給電圧の有無を検出する手段とを含む。この検出手段は、供給電圧が出現した時に切換制御信号を発生する。制御信号は、検出信号に接続された切換回路を作動させ、それにより機器を、供給電圧がない場合は機器が周辺機器に対して主機器として作用する第１のいわゆる主動作モードから、機器が供給電圧を発生する主機器に対して周辺機器として作用するいわゆる第２の周辺動作モードへ切り換える。
【００１３】
この目的は、双方向通信ネットワークへの接続手段を有する通信用の回路を含むオーディオビジュアル伝送情報受信装置であって、
主機器から生ずる供給電圧の伝送用の少なくとも１つの導線を含む主機器との通信用のバスの第１のコネクタと、
周辺機器の接続を可能とする各第２のコネクトとの通信用のバスの少なくとも１つの第２のコネクタと、
第１のコネクタ上の供給電圧の有無を検出する手段とを含み、
検出手段は第１のコネクタに接続され、供給電圧が出現したときに検出手段に連結される切換回路への切換を制御する信号を発生させ、それにより機器を、供給電圧がない場合は機器が周辺機器に対して主機器として作用する第１のいわゆる主動作モードから、機器が供給電圧を発生する主機器に対して周辺機器として作用するいわゆる第２の周辺動作モードへ切り換えるオーディオビジュアル伝送情報受信装置によって達成される。
【００１４】
【発明の実施の形態】
本発明の他の特徴及び利点については、以下の制限的でない例としての添付の図面を参照して説明を読むことにより明らかとなろう。
【００１５】
図１は、本発明による受信器を示す図である。受信器は、例えばＤＶＢ仕様書によるデコーダである。受信器はＩＳＯ／ＩＥＣ１３８１８−１トランスポート層を使用する。
【００１６】
受信器はアンテナ１に接続され、アンテナ１はデコーダのチューナ２に接続される。チューナ２によって供給される信号は復調器３によって復調される。復調されたデータはインタレース解除され、誤り補正回路４によって補正され、デマルチプレクサ５へ送信される。デマルチプレクサ５は、マイクロプロセッサ２３によってプログラムされた幾つかのフィルタを、受信器によってサポートされる様々なアプリケーションの機能として含む。マイクロプロセッサ２３は、オペレーティングシステムと、例えばＥＰＧといったアプリケーションを実施するための常駐又はダウンロードされたプログラムとを含むメモリ１２に接続される。メモリは、単一のブロックとして図示されているが、物理的には、例えばランダムアクセスメモリＲＡＭ、読出し専用メモリＲＯＭ、再びプログラムすることが可能なメモリＥＥＰＲＯＭ又はＦＬＡＳＨといった異なる種類の幾つかのブロックを含みうるものである。読出し専用メモリＲＯＭは、デコーダの基本プログラムを含む。このプログラムは、デマルチプレクサをプログラムすること、遠隔制御装置によって伝送された命令を受信すること、メモリの中に記録されポインタによって指定されるビデオシーケンスを表示することといった入出力管理ルーチンを含む。
【００１７】
文字発生器１５は、受信器のパラメータ又は他のアプリケーションに関する制御メニュー又はグラフィックメニューが発生されることを可能とする。発生されるビデオ信号は、ビデオデコーダ１７から生ずるビデオ信号のうちの１つと多重化され、テレビジョン２２に結合されるＳＣＡＲＴソケットとされる。多重化回路２０は、マイクロプロセッサ２３によって管理される。受信器には、赤外線リンク２４によってマイクロプロセッサに結合される遠隔制御装置１１も与えられる。図面の明瞭性のため、マイクロプロセッサ２３の最も重要な接続のみが示されている。
【００１８】
デマルチプレクサによってフィルタされるオーディオ又はビデオセクション又はパケットは、バッファメモリ６の所定の領域に記憶される。受信器はまた、情報の高速転送を可能とするインタフェース２６によってマイクロプロセッサ２３に結合されるハードディスク２５を含む。ハードディスクは、有利にはデコーダと一体化されるが、別個の機器部分の形状で与えられるものであってもよい。ディスクの支持体は取り外し可能であってもよい。マイクロプロセッサ２３によって実行可能なプログラムは、デマルチプレクサ５によってバッファメモリ６中に記憶されたデータを解析し、それらがユーザによって選択されたプロファイルに対応するか否か判定する。対応する場合、データはハードディスク２５に記録される。ディスクの容量は、圧縮形式（例えばＭＰＥＧ２）で少なくとも数時間のオーディオビジュアル伝送情報を記録することを可能とする。ハードディスクの一部は、広告シーケンスを記録するために割り当てられる。「ＭＥＭ＿ＥＮＲ」と称される部分は、「ｉ」個のプロファイルがある場合は同数の領域「ＭＥＭ＿ＥＮＲｉ」へ分割される。プログラムはまた、受信される各伝送情報のＤＶＢＳＩテーブルの所有者記述子に含まれる所有者フィールドを解析し、それにより伝送情報が広告シーケンスであるか否かを判定する。「広告シーケンス」という用語は例として与えられるものである。本発明のためには、デコーダによって判定可能なトピックを有する十分に短いイベントが使用されうる。
【００１９】
広告シーケンスが検出されると、プログラムは記録された広告シーケンスをハードディスク２５から抽出し、それらをテレビジョン画面２２へ送信する。そうでなければ、伝送情報は広告シーケンスでないため、表示されるべくオーディオ／ビデオデコーダ１６及び１７へ送信される。プログラムはまた、広告記録物の読出しの終了を検出する。検出器がもはや広告シーケンスを受信せず、記録物の読出しの終了であるとき、プログラムはテレビジョン画面へ広告でない伝送情報を送信する。図２は、本発明を実施するための様々な段階について示す図である。最初に（ステップ１）、ユーザは、好みのトピックのリストであるプロファイルを設定するために設定モジュールを呼び出す。ステップ２において、デコーダは広告区間の次の受信を知らせる所有者記述子に含まれる識別子が放送されたか否か検出する。検出は、以下の２つの段階で実行される２つのプログラムモジュールの実行をトリガする。即ち、捕捉モジュールは幾つかの放送広告シーケンスを記録し、表示モジュールは以前に記録されている広告記録物を表示する。
【００２０】
設定モジュールは、実行の開始時に、ユーザに対して、プロファイル識別子「ＩＤＥＮＴ」を０乃至９の数字の形式で入力するよう指示する。この値は、ユーザの識別子と同一であっても良いが、同一のユーザに対して幾つかのプロファイルが関連付けられてもよい。例えば、ユーザは、必ずしも夕方と朝に同じ好みを有さなくともよい。有利には、設定テーブルによってユーザに対して利用可能なトピックのリストがメニューの形式で示される。これらのトピックは、例えば「スポーツ」、「自動車」、「歌」、「メンテナンス製品」等といった表示される文字列の形式でありうる。ユーザは自分の遠隔制御装置上のボタンを使用して、自分の好みに従ったトピックを選択する。
【００２１】
第１の実施例によれば、利用可能なトピックのリストの更新は、特別なサービスの放送データをダウンロードすることによって実行される。第１の変形例によれば、広告シーケンス放送は、所有者記述子の中に、１つ以上の文字列によってトピックを特定する所有者フィールドを有する。デコーダは、広告シーケンスが受信されたときと同様にトピックのリストを設定し、リストに新しいトピックが付加される。第２の実施例によれば、所有者記述子の中に書き込まれた特定的な識別子を有するデータブロック中で完全なリストが放送され、かかるリストは略即時的に利用可能であり、容易に更新が行なわれる。３つの場合に、トピックは所有者フィールド中で符号化されうる（例えば、「ＩＤ１２３」、「ＩＤ９５６」、「ＩＤ７４２」）。デコーダは、コードと文字列との対応性のテーブルを含む（ＩＤ１２３＝「スポーツ」、ＩＤ９５６＝「自動車」、ＩＤ７４２＝「歌」）。
【００２２】
プロファイルを構成するトピックを選択する方法は自動的に実行されうる。このために、デコーダはユーザの挙動について解析し、ユーザによるプログラムの選択に基づいてユーザのプロファイルを決定する。
【００２３】
図３は、本発明による不揮発メモリの一部を表わす図である。これは、特に各プロファイルに対応する一般的なデータを表わす「ＴＡＢ＿ＰＲＯ」テーブルと、全ての広告記録物の記述子を含む「ＴＡＢ＿ＥＮＲｉ」テーブルとを含む。
【００２４】
ＴＡＢ＿ＰＲＯテーブルは、以下のフィールド、
ユーザ及びユーザプロファイルの識別子（ＩＤＥＮＴ）と、
ＴＡＢ＿ＥＮＲｉテーブルのポインタ「ＡＤＲ＿ＤＥＢｉ」及び「ＡＤＲ＿ＦＩＮｉ」と、
ＴＡＢ＿ＥＮＲｉテーブルの読出しポインタ「ＰＴ＿Ｒｄｉ」及び書込みポインタ「ＰＴ＿Ｗｒｉ」の値と、
ユーザによって選択されるプロファイル「ｉ」のトピックのリストと、
を含む。
【００２５】
設定モジュールは、ＴＡＢ＿ＰＲＯのデータを初期化する。ユーザは、プロファイル「ｉ」の識別子を選択し、好みのトピックのリストをそれに関連付ける。ＡＤＲ＿ＤＥＢｉは、ユーザｉの記録物のテーブル、即ち「ＴＡＢ＿ＥＮＲｉ」の第１のアドレスを指す。最初には、記録物はなく、このテーブルの開始アドレスＡＤＲ＿ＤＥＢｉと終端アドレスＡＤＲ＿ＦＩＮｉは等しい。モジュールは、記録物のテーブルの最初の利用可能な記述子、即ちＡＤＲ＿ＤＥＢｉを指すようＰＴ＿Ｗｒｉを初期化する。ＰＴ＿Ｒｄｉは、このユーザのための記録が行われていないことを示す値「００００」をとる。テーブルＴＡＢ＿ＥＮＲｉの読出し及び更新は、循環式に行なわれ、即ち、ＰＴ＿Ｒｄｉ及びＰＴ＿Ｗｒｉの値はＡＤＲ＿ＤＥＢｉ及びＡＤＲ＿ＦＩＮｉから増加し、ＡＤＲ＿ＦＩＮｉを超過したときに再びＡＤＲ＿ＤＥＢｉの値をとる。
【００２６】
テーブルＴＡＢ＿ＥＮＲｉ中の記述子は、以下のフィールド、
記録物の通し番号「ｊ」と、
ＭＥＭ＿ＥＮＲｉ中の記録物ｊのアドレス「ＰＴ＿ＲＥＣｉ．ｊ」と、
記録物ｊの持続時間と、
記録物ｊのトピックと、
を含む。
【００２７】
次に、各記録物は一対の参照符号（ｉ．ｊ）で同定される。設定モジュールは、ポインタＲＥＣｉ．１の最初の値を利用可能な領域ＭＥＭ＿ＥＮＲｉへ初期化する。領域ＭＥＭ＿ＥＮＲｉのサイズは、各プロファイルについてのシーケンスの記録及び表示の全体持続時間に依存する。設定モジュールは、この持続時間を例えば３０分間に固定しうる。特定の簡単な方法で、記録物はハードディスク中に連続している。ポインタＲＥＣｉ，ｊの値は連続し、一方で最大持続時間に達していなければ、受信される最後のシーケンスがＭＥＭ＿ＥＮＲｉ中に追加されることが可能である。次に、受信される最後のシーケンスは、最も古いものを上書きすることによって書き込まれる。
【００２８】
デマルチプレクサによって受信される広告シーケンスに対応するデータパケットは、各シーケンスのトピックを個々に解析する捕捉モジュールに送信される。このトピックがユーザによって選択されるプロファイルに対応する場合、シーケンスはハードディスクに記録されねばならない。
【００２９】
図４は、捕捉モジュールについての実行フローチャートを示す図である。ステップ１において、デマルチプレクサはデータパケットを検出するようプログラムされ、マイクロプロセッサはそれらが広告シーケンスに対応するかどうか判定する。変形例として、中央局は、広告区間の放送を知らせる信号を或る時点における一定の持続時間の信号を伝送しうる。この場合、各シーケンスについてその広告の性質を示す必要はない。ステップ２において、広告区間が検出されると、復号化器の作業メモリ中に第１の広告シーケンスが格納される。ステップ３において、モジュールはカウンタ「Ｉ」を初期化し、テーブルＴＡＢ＿ＰＲＯ（ｉ＝１）から始まって格納された全てのプロファイルを走査することを可能とする。ステップ４において、モジュールは、受信されたシーケンスの１つ以上のトピックが現在解析されているＩ番目のプロファイルのトピックのリストに含まれるか否か試験する。試験では、ＴＡＢ＿ＰＲＯの好みのリストから、受信されたシーケンスの「ＴＯＰＩＣ」記述子に書き込まれた文字列について探索する。文字列が見つかれば、シーケンスはプロファイルに対応する。同一のシーケンスについて、例えば「自動車」用の「メンテナンス製品」といった幾つかのトピックがある場合がある。この場合は、トピックの数だけ試験を行なう必要がある。
【００３０】
トピックがプロファイル「ｉ」に対応しない場合、シーケンスは無視され、モジュールは直接ステップ７へ進む。そうでなければ、作業メモリに格納されたトピックはポインタＰＴ＿Ｗｒｉによって指定されるアドレスに記録される（ステップ５）。次にステップ６において、ポインタＰＴ＿Ｗｒｉは次の記録物を書き込むためのアドレスによって更新される。ポインタは循環式に管理されるため、記録の全体持続時間に達したとき、ＰＴ＿ＷｒｉはＴＡＢ＿ＥＮＲｉの開始の値「ＴＡＢ＿ＤＥＢｉ」に初期化される。捕捉モジュールはまた、テーブル中に広告記録物の持続時間及びトピックを書き込む。ステップ７において、モジュールはこれがＴＡＢ＿ＰＲＯテーブルの最後のプロファイルであるか否か試験し、そうであれば、ステップ８においてカウンタ「Ｉ」に１が加算され、それによりＴＡＢ＿ＰＲＯテーブル中の次のプロファイルが指される。最後のプロファイルが処理されたばかりであれば、新しい広告シーケンスを検出するために、モジュールはステップ２へ戻る。幾つかのプロファイルリストが同じトピックを有する場合（図３の例では「歌」）、このトピックを有するシーケンスは、このトピックがリスト中にある数と同じ回数だけ記録される。
【００３１】
捕捉モジュールの動作については上述のように説明されたため、以下、表示モジュールの動作について説明する。表示モジュールは、デマルチプレクサが広告区間を受信するたびに呼び出される。この期間は、イベントの瞬間、又は２つのイベント間に放送される。モジュールは、ポインタ「ＰＴ＿Ｒｄｉ」によって指される記録物を画面上に表示するためのタスクを開始する。放送された広告シーケンスは、捕捉モジュールによって扱われる。このように本発明の本質的な目的の１つが達成されたことがわかる。即ち、復号化器は、画面上で、放送シーケンスのグループをユーザによって選択されたプロファイルに対応する記録されたシーケンスからなるグループによって置き換える。
【００３２】
殆どの場合、放送広告区間の終端は、広告記録物の表示の終端において丁度生ずるわけではない。復号化器は、記録物の表示が終了することを許す。この場合、表示された広告区間は、放送された期間よりも長い時間に亘って持続する。広告記録物が終了したときに放送されたイベントの開始を見のがさないように、デコーダはハードディスク２５又は作業メモリ中の一時記憶メモリにイベントを記録する。広告記録物の表示の終了のとき、デコーダは一時記憶メモリの内容を表示するためのタスクを開始させる。一時記憶メモリは、キューで（或いはＦＩＦＯ「先入れ先出し」法で）管理される。従って、イベントの表示は、一定の持続時間Δｔだけ時間についてずらされ、この機能は「時間シフト」と称される。広告区間の次の放送中、このシフトは記録された広告区間の表示の持続時間を減少させることによって補償されうる。
【００３３】
図５のフローチャートは、表示モジュールの動作の方法を示す図である。ステップ１において、デマルチプレクサは、広告区間の放送の開始を検出するようプログラムされる。ステップ２において、広告区間が検出される。ステップ３において、デコーダは、放送者によって所望のイベントの時点において新しい広告区間を表示するよう一時記憶メモリが空にされるまで待つ。この時点において、モジュールはＰＴ＿Ｒｄｉによって指される記録物について探索し（ステップ４）、その表示を開始する。ステップ５において、ＰＴ＿Ｒｄｉは、表示されるべき次の記録物を指すよう更新される。上述において、読み出しポインタは循環式に移動し、各記録物を順次に指すことが説明された。本例では、プロファイル番号２に対応するメモリＭＥＭ＿ＥＮＲ２には、１乃至５の番号が付される。５番目が読み出されたとき、モジュールは１番目の要素をアドレス指定するよう初期化される。
【００３４】
ステップ６において、モジュールは、記録物の表示が終了したか否かを試験する。結果が「ノー」であれば（ステップ７）モジュールは放送された広告区間が終了したばかりであるか否か試験する。そうでなければ、プログラムは連続的にステップ６及び７へ戻る。放送された期間が終了したばかりであれば（時点Ｔ１）、モジュールは「時間シフト」のメモリ中の放送されたイベントの記録物を開始し、次にステップ６及び７へ戻る。ステップ８は、広告区間の放送中に一回だけ実行される。
【００３５】
記録物の表示が終了すると、モジュールは、広告区間がまだ放送されるか否か試験する（ステップ９）。この期間が放送される限り、モジュールはステップ４へ戻り、毎回新しい記録物の表示を開始する。そうでなければ、（時点Ｔ２、ステップ１０）、イベントは再び放送され、広告記録物は丁度終了したばかりであるため、イベントの表示は再開される。時間シフトは、Ｔ２とＴ１の間の差に等しい（Δｔ＝Ｔ２−Ｔ１）。モジュールは「時間シフト」の一時記憶メモリ中のビデオシーケンスの表示を開始し、ステップ２へ戻り、広告区間が新しく放送されるのを待つ。
【００３６】
上述の望ましい実施例において、メモリ中で古い記録物が最近の放送によって上書きされることが説明された。この態様では、表示モジュールと記録モジュールの間には同期はない。変形例は、メモリが未表示の記録物でいっぱいのときに瞬間的に記録物を停止すること、及び表示された途端に記録物を消去することからなる。消去により、メモリが解放され、それにより新しいシーケンスの記録を可能とする。この変形例は、古いシーケンスを表示させる。
【００３７】
図６は、放送されるシーケンス及び表示される記録物の時間に亘る展開を示す図である。「THE FILM」と称される映画は、２つの広告区間によって３つの部分に分割される。ユーザはプロファイル２を選択しており、このプロファイルの記録物のメモリは最初は図３に示されるようなものである。プロファイル２のトピックは「スポーツ、自動車、サービス提供、歌」である。
【００３８】
時点Ｔ１において、デコーダはテレビジョン画面上に、時間シフト無しにイベント「THE FILM」を表示する。時点Ｔ２において、３つのシーケンスからなる広告区間が放送される。デコーダは、ＴＡＢ＿ＥＮＲ２テーブル中をＴＰ＿Ｒｄ２によって指される記録物、即ちトピックとして「サービス提供」を有しアドレスＲＥＣ２．４にある１’０２”の記録物について探索し、それを表示し始める。その終端において、広告区間はまだ放送されており、デコーダはアドレスＲＥＣ２．５（ｊ＝５）で読み出される次の記録物を表示する。時点Ｔ３において、広告シーケンスＢが放送され、そのトピック「スポーツ」はプロファイル２に対応し、従ってハードディスク中に記録される。この記録物の記述子はＰＴ＿Ｗｒによって指され、位置ｊ＝３を占める。シーケンスＢの記録物のアドレス、持続時間及びトピックは、この記述子中で更新される。次にＰＴ＿Ｗｒ２が更新され、次の記述子（ｊ＝４）を指す。時点Ｔ４において、広告シーケンスＣが放送される。そのトピック「歌」はプロファイル２のシーケンスＢに対応し、従ってハードディスク中に記録される。そのパラメータは記述子ｊ＝４に書き込まれる。次にＰＴ＿Ｗｒ２が更新され、次の記述子を指す（ｊ＝５）。
【００３９】
時点Ｔ５において、広告区間は終了している。この時点において、記録物ＲＥＣ２．２（ｊ＝５）が表示され、時点Ｔ６において終了する。デコーダは、「時間シフト」の一時記憶メモリ中に、時点Ｔ５とＴ６の間に方法されたイベントの部分を記録する。時点Ｔ６から、デコーダは一時記憶メモリの開始から読み出されたイベント「THE FILM」を表示する。この時点以降、映画の第２部の放送と、第２部の表示との間には（Δ＝Ｔ６−Ｔ５）の時間シフトがある。このシフト（Δ）は、図６中、時間軸上で相互にずらされたグレーの垂直の帯によって示される。
【００４０】
時点Ｔ７において、第２の広告区間が放送され、デコーダはもはや一時記憶メモリ中には記録しない。［Ｔ７＋（Ｔ６−Ｔ５）］］に等しい時点Ｔ８において、フィルムの第２部の全てが表示されており、一時記憶メモリは空である。次に、デコーダはＴＡＢ＿ＥＮＲ２テーブル中を、ＰＴ＿Ｒｄ２によって指される記録物、即ちトピック「スポーツ」を有する記録物（ｊ＝３）について探索する。これは実際に、第１の広告区間中に放送された広告Ｂである。偶然に、時点Ｔ９において、放送された広告区間が記録物の表示と同時に終了することがあり、その場合、映画の第３部は映画の終了までシフト無しに表示されうる。この場合、広告区間の次の放送まで、もはや「時間シフト」機能を使用する必要なない。
【００４１】
広告シーケンスは簡単に、ディスプレイのレベルで記録物によって常に置き換えられる。しかしながら、トピックをシーケンスの一番始めから検出することが可能であり、プロファイルに対応する場合は、これを直接的に表示し、同時に記録することが可能である。この改善点は、特にプロファイルが多くのトピックを含み、特にユーザが全てのトピックを選択することにより、フィルタリングを行なわず放送された全てのシーケンスを表示しようとする場合に使用される。この改善点は、ユーザに対して常に最も新しいシーケンスを与えるという利点を有する。
【００４２】
プロファイルに対応するシーケンスは常に記録される。第１の実施例では、記録されたシーケンスは放送された広告区間に基づいて抽出され選択される。しかし、かなり長い期間に亘って、放送広告区間の集合的な持続時間は、表示された期間の集合的な持続時間と略等しい。図６は、シーケンスＡ，Ｂ，Ｄ，Ｄ，Ｅ，Ｆのシーケンスの集合的な持続時間が、記録物ＲＥＣ２．４，ＲＥＣ２．５，ＲＥＣ２．１，ＲＥＣ２．２，ＲＥＣ２．３，ＲＥＣ２．４に等しいことを示す。表示された期間及び放送された期間は個々に同じ持続時間を有さないが、長い期間をかけて相互についての不一致が補償される。広告シーケンスが選択されたプロファイルに常に対応するという非常に希な場合を除き、プロファイルに対応しない幾つかのシーケンスを排除することが必要であるため、同じ表示時間に達するためには同じシーケンスが数回表示されねばならない。メモリがあまり記録物を有さない場合、これらは頻繁に表示される。従って、デコーダはシーケンスのストックを迅速に構築し、それにより放送者が広告区間の表示を要求したときにこれを表示することを可能とすることが重要である。
【００４３】
変形例では、ユーザはまず未使用状態のデコーダにプロファイルを入力し、デコーダは次にこのプロファイルに対応する記録メモリの一部（本例では半分、即ち表示の１５分間）に記録し、続いてデコーダは記録されたシーケンスを表示するためのモジュールを呼び出す。これは、デコーダがかなり大きいシーケンスのストックを構築し、それにより広告区間の表示の時点に適切に更新されうることを可能とする。
【００４４】
第２の変形例は、シーケンスがいわゆる「広告」特定サービス上で放送されることからなる。このように広告シーケンスは、広告でないイベントとは異なる通信チャネル上で伝送される。次に捕捉モジュールはこの通信チャネルから広告シーケンスを抽出するようデマルチプレクサをプログラムする。デコーダに対して１つのデマルチプレクサのみが利用可能であれば、この動作はスタンバイモードで実行され、残る時間では、デコーダはユーザによって選択されたサービスを表示する。この捕捉は、デコーダに対して２つのデマルチプレクサ、即ちユーザによって選択されたサービスを抽出するために使用される１つのデマルチプレクサと広告サービスからシーケンスを抽出するための他のデマルチプレクサが利用可能であれば任意の時点に生ずることができる。
【００４５】
変形例によれば、広告区間を含むイベントはまずハードディスクに記録され、ユーザによって要求されたときに表示される。放送イベント同様に、捕捉モジュール及び表示モジュールは広告シーケンスの有無を検出し、上述のようにプロファイルに対応するシーケンスを記録し、記録物を表示する。異なる点は「時間シフト」がないことである。特定的には、イベントが記録されると、その実行を停止すること、及び記録物の表示が終了したときにこれを分配することは容易である。
【００４６】
本発明はもちろん、上述の実施例に限られるものではない。特に、記録物のメモリの技術は、光学的なもの（例えば記録可能なＤＶＤ−ＲＯＭ）、ＣＤ−ＲＯＭ）、磁気的なもの（カートリッジ）又は他の同等な技術でありうる。本発明は広告シーケンスに限られるものではなく、本発明によれば、持続時間が短いことを示す識別子を含む記述子を有し、デコーダによって決定可能なトピックを有する任意のイベントが使用されうる。
【図面の簡単な説明】
【図１】本発明を実施するデコーダを表わす図である。
【図２】本発明による方法の様々な段階を示すフローチャートである。
【図３】本発明によるメモリの内容の例を示す図である。
【図４】捕捉モジュールのフローチャートを表わす図である。
【図５】表示モジュールのフローチャートを表わす図である。
【図６】放送の時間的な表現並びに、イベント及び記録物の表示の例を示す図である。
【符号の説明】
１    ユーザプロファイル入力段階
２    広告ページの放送を検出する段階
３    捕捉モジュールの呼出し及び実行段階
４    表示モジュールの呼出し及び実行段階
【図１】
0004755768.tif 000002
【図２】
0004755768.tif 000003
【図３】
0004755768.tif 000004
【図４】
0004755768.tif 000005
【図５】
0004755768.tif 000006
【図６】
0004755768.tif 000007